(57)【特許請求の範囲】
【請求項１】
通信機器と無線通信する無線通信手段と、
ユーザ操作に応じてデータを入力するデータ入力手段と、
前記データ入力手段により入力されたデータに対応する出力用データを、前記通信機器の撮像手段により読取り可能に表示させるデータ表示手段と、
前記データ表示手段により前記出力用データが表示された状態で、前記無線通信手段により前記データ入力手段により入力されたデータに対応する出力用データを前記通信機器に送信するデータ送信手段と、
前記データ送信手段により前記出力用データが前記通信機器に送信された後に、前記データ送信手段により前記出力用データが前記通信機器に送信された旨の報知を前記データ表示手段により前記出力用データが表示された状態で開始する送信後報知手段と、を備えたことを特徴とする情報表示装置。
【請求項２】
前記データ送信手段により前記出力用データが前記通信機器に送信された旨を示すメッセージ又は音声を表示出力又は音声出力させる送信後出力手段を、前記送信後報知手段として備えたことを特徴とする請求項１に記載の情報表示装置。
【請求項３】
前記データ表示手段により表示された出力用データを消去する送信後表示消去手段を、前記送信後報知手段として備えたことを特徴とする請求項１又は請求項２に記載の情報表示装置。
【請求項４】
ユーザ操作に応じて、前記表示された出力用データを消去する表示消去手段を、さらに備えたことを特徴とする請求項３に記載の情報表示装置。
【請求項５】
前記データ表示手段は、前記データ入力手段により入力されたデータに対応する出力用データを２次元コードに変換して表示させ、
前記表示消去手段は、前記データ表示手段により表示された２次元コードが他の機器で撮影された後に、ユーザ操作に応じて、前記表示された２次元コードを消去し、
前記データ送信手段は、前記データ表示手段により前記２次元コードが表示された状態で、前記無線通信手段により前記２次元コードの内容のデータを前記通信機器に送信し、
前記送信後表示消去手段は、前記データ送信手段により前記２次元コードの内容のデータが前記通信機器に送信された後に、前記データ表示手段により表示された２次元コードを消去する、ことを特徴とする請求項４に記載の情報表示装置。
【請求項６】
前記データ表示手段は、前記データ入力手段により入力されたデータ含む出力用データを複数の分割２次元コードに変換して順次表示させ、
前記表示消去手段は、前記データ表示手段により順次表示された複数の分割２次元コードが他の機器で撮影される毎に、ユーザ操作に応じて、前記表示された分割２次元コードを消去し、
前記データ送信手段は、前記データ表示手段により前記複数の分割２次元コードのうち１つの分割２次元コードが表示された状態で、前記無線通信手段により前記複数の分割２次元コードの内容のデータを順次前記通信機器に送信し、
前記送信後表示消去手段は、前記データ送信手段により前記複数の分割２次元コードの内容のデータが順次前記通信機器に送信された後に、前記データ表示手段により表示された分割２次元コードを消去する、ことを特徴とする請求項４に記載の情報表示装置。
【請求項７】
前記データ表示手段は、前記データ入力手段により入力されたデータ含む出力用データを複数の分割２次元コードに変換して順次表示させ、
前記表示消去手段は、前記データ表示手段により順次表示された複数の分割２次元コードが他の機器で撮影される毎に、ユーザ操作に応じて、前記表示された分割２次元コードを消去し、
前記データ送信手段は、前記データ表示手段により前記複数の分割２次元コードのうち１つの分割２次元コードが表示された状態で、前記無線通信手段により前記複数の分割２次元コードの内容のデータを纏めて前記通信機器に送信し、
前記送信後表示消去手段は、前記データ送信手段により前記複数の分割２次元コードの内容のデータが纏めて前記通信機器に送信された後に、前記データ表示手段により表示された分割２次元コードを消去する、ことを特徴とする請求項４に記載の情報表示装置。
【請求項８】
前記送信後報知手段は、前記データ送信手段により前記出力用データが前記通信機器に送信された後に、前記通信機器から前記出力用データの受信完了の旨の情報が受信された場合に、前記データ送信手段により前記出力用データが前記通信機器に送信された旨の報知を前記データ表示手段により前記出力用データが表示された状態で開始する、ことを特徴とする請求項１乃至請求項７の何れか１項に記載の情報表示装置。
【請求項９】
前記データ送信手段により前記出力用データの前記通信機器への送信が完了したことに応じて通信完了情報を表示させる完了情報表示手段を備えた、ことを特徴とする請求項１乃至請求項８の何れか１項に記載の情報表示装置。
【請求項１０】
前記無線通信手段は、近距離無線通信手段である、ことを特徴とする請求項１乃至請求項９の何れか１項に記載の情報表示装置。
【請求項１１】
請求項１乃至請求項１０の何れか１項に記載の情報表示装置と無線通信する通信機器であって、
前記情報表示装置の前記データ表示手段に表示された前記出力用データを読取る撮像手段と、
前記情報表示装置の前記データ表示手段により前記出力用データが表示された状態で前記情報表示装置の前記データ送信手段により送信される前記出力用データを受信するデータ受信手段と、を備えることを特徴とする通信機器。
【請求項１２】
前記通信機器は、
前記出力用データを前記データ受信手段により受信完了した旨の情報を送信する受信完了情報送信手段をさらに備えることを特徴とする請求項１１に記載の通信機器。
【請求項１３】
通信機器と無線通信する無線通信手段と、表示部とを有する情報表示装置を制御するための情報表示方法であって、
ユーザ操作に応じてデータを入力し、
前記入力されたデータに対応する出力用データを前記表示部に表示させ、
前記出力用データが表示された状態で、前記無線通信手段により前記入力されたデータに対応する出力用データを前記通信機器に送信し、
前記出力用データが前記通信機器に送信された後に、前記出力用データが前記通信機器に送信された旨を報知する、ことを特徴とする情報表示方法。
【請求項１４】
通信機器と無線通信する無線通信手段と、表示部とを有する電子機器のコンピュータを制御するためのプログラムであって、
前記コンピュータを、
ユーザ操作に応じてデータを入力するデータ入力手段と、
前記データ入力手段により入力されたデータに対応する出力用データを前記表示部に表示させるデータ表示手段と、
前記データ表示手段により前記出力用データが表示された状態で、前記無線通信手段により前記データ入力手段により入力されたデータに対応する出力用データを前記通信機器に送信するデータ送信手段と、
前記データ送信手段により前記出力用データが前記通信機器に送信された後に、前記データ送信手段により前記出力用データが前記通信機器に送信された旨を報知する送信後報知手段、として機能させるためのコンピュータ読み込み可能なプログラム。
【請求項１５】
請求項１４に記載のプログラムにより制御される電子機器と無線通信する通信機器のコンピュータを制御するためのプログラムであって、
前記電子機器の前記データ表示手段に表示された前記出力用データを読取る撮像手段と、
前記電子機器の前記データ表示手段により前記出力用データが表示された状態で前記電子機器の前記データ送信手段により送信される前記出力用データを受信するデータ受信手段と、として機能させるためのコンピュータ読み込み可能なプログラム。
【請求項１６】
前記出力用データを前記データ受信手段により受信完了した旨の情報を送信する受信完了情報送信手段としてさらに機能させるための、請求項１５に記載のプログラム。
【発明の詳細な説明】
【技術分野】
【０００１】
本発明は、テキスト、数値、計算式等の入力データを表示させ、他の通信機器に読み込ませるための情報表示装置、通信機器、情報表示方法、及びプログラムに関する。
【背景技術】
【０００２】
従来の関数電卓（情報表示装置）において、入力された計算式、数値等の入力データと、前記入力データについて計算した計算結果データとを、［ＱＲ］キーの操作に応じて１又は複数のＱＲコード（登録商標）に変換（ＱＲコード化）して表示させる機能がある。そして、タブレット端末等のカメラ付き通信機器により、前記関数電卓に表示されたＱＲコードを撮影して読み取ることで、前記読み取ったＱＲコードのデータ（ＱＲデータ）をＷＥＢ上の特定のサーバに自動送信し、前記サーバにて生成された前記ＱＲデータ（入力データ／計算結果データ）に応じたグラフの画像データを受信して表示できるようにした計算データのＷＥＢ処理システムが実用されている（例えば、非特許文献１参照。）。
【先行技術文献】
【非特許文献】
【０００３】
【非特許文献１】カシオホームページ「ＣＬＡＳＳＷＩＺ  ＷＥＢ  Ｉｎｆｏｒｍａｔｉｏｎ」［平成２８年２月５日検索］、インターネット＜ＵＲＬ：http://casio.jp/dentak/sp/classwiz/fxjp900_qrcloudsolutions/＞
【発明の概要】
【発明が解決しようとする課題】
【０００４】
前記従来の情報表示装置により表示されたＱＲコードを前記カメラ付き通信機器により撮影して読み取る際には、前記撮影の都度、前記表示されたＱＲコードに焦点を合わせて撮影する作業が必要であり煩雑である。
【０００５】
また、前記撮影の状態や環境によっては前記ＱＲコードを上手く撮影できない場合もあり、このような場合、前記サーバに対して前記ＱＲデータを上手く送信できない。
【０００６】
本発明は、このような課題に鑑みなされたもので、入力されたデータを含むデータを、容易に他の通信機器で取得することが可能になる情報表示装置、通信機器、情報表示方法、及びプログラムを提供することを目的とする。
【課題を解決するための手段】
【０００７】
本発明に係る情報表示装置は、通信機器と無線通信する無線通信手段と、ユーザ操作に応じてデータを入力するデータ入力手段と、前記データ入力手段により入力されたデータに対応する出力用データを、前記通信機器の撮像手段により読取り可能に表示させるデータ表示手段と、前記データ表示手段により前記出力用データが表示された状態で、前記無線通信手段により前記データ入力手段により入力されたデータに対応する出力用データを前記通信機器に送信するデータ送信手段と、前記データ送信手段により前記出力用データが前記通信機器に送信された後に、前記データ送信手段により前記出力用データが前記通信機器に送信された旨の報知を前記データ表示手段により前記出力用データが表示された状態で開始する送信後報知手段と、を備えたことを特徴としている。
【発明の効果】
【０００８】
本発明によれば、入力されたデータを含むデータを、容易に他の通信機器で取得することが可能になる。
【図面の簡単な説明】
【０００９】
【図１】本発明の情報表示装置の実施形態に係る電子辞書装置１０Ｄの外観構成を示す図。
【図２】本発明の情報表示装置の実施形態に係る関数電卓１０Ｆの利用形態を示す模式図。
【図３】前記情報表示装置（１０Ｄ／１０Ｆ）と通信機器２０との間で使用する無線通信手段の実施例を示す図。
【図４】前記情報表示装置としての関数電卓１０Ｆの電子回路の構成を示すブロック図。
【図５】前記通信機器２０の電子回路の構成を示すブロック図。
【図６】前記情報表示装置（１０Ｄ／１０Ｆ）の表示制御処理（その１）を示すフローチャート。
【図７】前記情報表示装置（１０Ｄ／１０Ｆ）の表示制御処理（その２）を示すフローチャートである。
【図８】前記情報表示装置（電子辞書装置１０Ｄ）の表示制御処理に従った電子辞書装置１０Ｄの動作状態と通信機器２０の動作状態を示す図。
【図９】前記情報表示装置（関数電卓１０Ｆ）の表示制御処理に従った関数電卓１０Ｆの１変数統計計算モードでの動作状態と通信機器２０の動作状態を示す図。
【図１０】前記情報表示装置（関数電卓１０Ｆ）の表示制御処理に従った関数電卓１０Ｆの行列計算モードでの動作状態と通信機器２０の動作状態を示す図。
【発明を実施するための形態】
【００１０】
以下図面により本発明の実施形態について説明する。
【００１１】
本実施形態では、本発明の情報表示装置を、電子辞書装置１０Ｄで実施した場合と関数電卓１０Ｆで実施した場合とについて説明する。
【００１２】
図１は、本発明の情報表示装置の実施形態に係る電子辞書装置１０Ｄの外観構成を示す図である。
【００１３】
前記電子辞書装置１０Ｄは、文字、数字、記号等を入力するキー入力部１１と、前記キー入力部１１のユーザ操作に応じて入力されたテキストＴｘや装置内蔵の辞書データベースに基づき検索されたテキストＴｘを表示する表示出力部１２とを備えている。
【００１４】
そして、前記電子辞書装置１０Ｄは、前記キー入力部１１の［ＱＲ／通信］キー１１Ｑの操作に応じて、前記表示されたテキストＴｘを含むデータを出力用データとしてＱＲコード（登録商標）等の２次元コードＱに変換し前記表示出力部１２に表示させる機能、また、前記２次元コードＱのデータ（ＱＲデータ）を、近距離無線通信により通信接続された外部の通信機器２０に送信する機能を備えている。
【００１５】
前記通信機器２０は、カメラ付きタブレット端末等であり、前記電子辞書装置１０Ｄに表示された２次元コードＱを撮影するか、又は前記電子辞書装置１０Ｄから送信されたＱＲデータを近距離無線通信により受信することで、前記電子辞書装置１０Ｄで表示されたテキストＴｘを含むデータを取得できる。
【００１６】
前記表示出力部１２に表示された２次元コードＱは、前記［ＱＲ／通信］キー１１Ｑが再操作された場合、又は前記ＱＲデータが前記外部の通信機器２０に送信された場合に消去され、前記表示出力部１２は前記テキストＴｘだけの表示状態に戻る。
【００１７】
図２は、本発明の情報表示装置の実施形態に係る関数電卓１０Ｆの利用形態を示す模式図である。
【００１８】
ここでは、図２に示すように、前記情報表示装置としての関数電卓１０Ｆと、カメラ付きタブレット端末等の通信機器２０と、通信ネットワークＮ上の計算サーバ３０とを備えたシステムを例に説明する。
【００１９】
前記関数電卓１０Ｆは、その携帯性の必要からユーザが片手で十分把持し片手で操作可能な小型サイズからなり、この関数電卓１０Ｆの本体正面にはキー入力部１１および表示出力部１２が設けられる。
【００２０】
前記キー入力部１１には、数値や数式を入力したり計算の実行を指示したりするための数値・演算記号キー群１１１、各種の関数を入力したりメモリ機能を立ち上げたりするための関数機能キー群１１２、各種動作モードのメニュー画面を表示させたり動作モードの設定を指示したりするためのモード設定キー群１１３、前記表示出力部１２に表示されたカーソルの移動操作やデータ項目の選択操作などを行うためのカーソルキー１１４が備えられる。
【００２１】
前記数値・演算記号キー群１１１としては、［０］〜［９］（数値）キー、［＋］［−］［×］［÷］（四則記号）キー、［Ａｎｓ］［＝］（実行）キー、［ＡＣ］（クリア）キーなどが配列される。
【００２２】
前記関数機能キー群１１２としては、［ｘ-1］（−１乗；逆数）キーをはじめ、［√□］（ルート）キー、［□／□］（分数）キー、［ｓｉｎ］（サイン）キー、［Ｍ＋］（メモリプラス）キー、［ＯＰＴＮ］（オプション）キー、［ＲＣＬ］（メモリ呼び出し）キーなどが配列される。
【００２３】
前記モード設定キー群１１３としては、［ＭＯＤＥ］（モード）キー、［ＳＨＩＦＴ］（シフト）キー、［ＡＬＰＨＡ］（アルファベット）キー、［ＯＮ］（電源オン）キーなどが配列される。
【００２４】
なお、前記数値・演算記号キー群１１１や関数機能キー群１１２のキーは、［ＳＨＩＦＴ］キーが操作された後に続けて操作されることで、そのキートップに記載されたキー機能ではなく、そのキーの上方に記載されたキーとして機能できるようになっている。例えば、［ＳＨＩＦＴ］キー操作後に［ＡＣ］キーが操作（以下、［ＳＨＩＦＴ］＋［ＡＣ］キー等と記す。）されると［ＯＦＦ］（電源オフ）キーとなる。［ＳＨＩＦＴ］＋［ＯＰＴＮ］キーは［ＱＲ／通信］キー１１Ｑとなり、［ＳＨＩＦＴ］＋［ＲＣＬ］キーは［ＳＴＯ］（メモリ登録）キーとなる。
【００２５】
前記表示出力部１２は、ドットマトリクス型の液晶表示ユニットからなる。
【００２６】
前記関数電卓１０Ｆは、キー入力部１１のユーザ操作に応じて入力された数値、計算式の各データ、前記計算式に応じた計算結果のデータのうち、少なくとも１つを含むデータを、前記［ＱＲ／通信］キー１１Ｑの操作に応じて出力用データとしてＱＲコード（登録商標）等の２次元コードＱに変換し表示出力部１２に表示させる機能、また、前記２次元コードＱのデータ（ＱＲデータ）を近距離無線通信により通信接続された前記通信機器２０に送信する機能を備えている。
【００２７】
前記表示出力部１２に表示された２次元コードＱは、前記［ＱＲ／通信］キー１１Ｑが再操作された場合、又は前記ＱＲデータが前記通信機器２０に送信された場合に消去され、前記表示出力部１２は前記２次元コードＱが表示される前の表示状態に戻る。
【００２８】
前記通信機器２０は、前記関数電卓１０Ｆにより表示された２次元コードＱを撮影するか又は前記関数電卓１０Ｆから送信された２次元コードＱのデータ（ＱＲデータ）を近距離無線通信により受信して取得する機能、前記２次元コードＱのデータ（ＱＲデータ）を前記計算サーバ３０に送信し、前記計算サーバ３０により前記ＱＲデータに応じて生成されたグラフ、表、計算結果等の計算参考情報を受信して表示出力する機能を備えている。
【００２９】
なお、前記関数電卓１０Ｆにより表示される２次元コードＱには、前記関数電卓１０Ｆの固有ＩＤ、計算単位，計算角度，表示書式等の設定データも含まれる。また、前記２次元コードＱには、更に前記計算サーバ３０の通信アドレスを含めてもよい。この場合、前記通信機器２０は、前記関数電卓１０Ｄから撮影又は受信して取得した２次元コードＱのデータ（ＱＲデータ）に含まれる前記計算サーバ３０の通信アドレスに従い前記計算サーバ３０に自動で通信接続する。
【００３０】
前記通信機器２０は、カメラ付きタブレット端末に限定されるものではなく、ＰＤＡ（personal digital assistants）、スマートフォン、ノートＰＣ（personal computer）、ゲーム機等として構成され得る。
【００３１】
図２（Ａ）に示すように、前記キー入力部１１のユーザ操作により不等式の計算モードを指定し、不等式「ａｘ３＋ｂｘ２＋ｃｘ＋ｄ≦０」とその変数の数値を入力して計算実行（［＝］キー）すると、図２（Ｂ）に示すように、計算結果「ｘ≦ａ，ｂ≦ｘ≦ｃ」「ｘ≦−３，１≦ｘ≦４」Ｇａが表示される。
【００３２】
ここで、図２（Ｃ）に示すように、前記［ＱＲ／通信］キー１１Ｑを操作すると、前記不等式と変数の数値、計算結果、固有ＩＤ、前記計算サーバ３０の通信アドレスを含むデータが出力用データして２次元コードＱに変換され表示出力部１２に表示される。
【００３３】
前記通信機器２０により、図２（Ｄ）に示すように、前記関数電卓１０Ｆに表示された２次元コードＱを撮影するか、又は図２（Ｅ）に示すように、前記関数電卓１０Ｆから送信された２次元コードＱのＱＲデータを受信すると、図２（Ｆ）に示すように、前記受信されたＱＲデータに含まれる前記通信アドレスに従い前記計算サーバ３０と接続され、前記ＱＲデータ（不等式と変数の数値、計算結果を含む）が送信される。
【００３４】
この際、前記関数電卓１０Ｆにおいて、前記［ＱＲ／通信］キー１１Ｑが再操作されるか、又は前記ＱＲデータの前記通信機器２０への送信が完了すると、前記表示出力部１２に表示された２次元コードＱは消去され、前記表示出力部１２は前記計算結果Ｇａの表示状態（図２（Ｂ）参照）に戻る。
【００３５】
また、前記通信機器２０において、前記ＱＲデータの受信が完了すると、受信完了メッセージｍ（図２（Ｅ）参照）が表示出力部２１に表示される。
【００３６】
前記計算サーバ３０は、前記通信機器２０から受信されたＱＲデータ（不等式と変数の数値、計算結果を含む）に基づいて、図２（Ｇ）に示すように、前記不等式の計算結果に対応したグラフ画面ＧＲの計算参考情報を生成し、前記ＱＲデータの送信元である前記通信機器２０へ送信する。
【００３７】
前記通信機器２０は、前記ＱＲデータ（不等式と変数の数値、計算結果を含む）に対応したグラフ画面ＧＲの計算参考情報を前記計算サーバ３０から受信して取得し、前記表示出力部２１に表示させる。
【００３８】
これにより、前記通信機器２０により前記関数電卓１０Ｆに表示された２次元コードＱを撮影しなくても、前記通信機器２０を前記関数電卓１０Ｆに近付けて近距離無線通信により通信接続させるだけで、前記２次元コードＱのデータ（ＱＲデータ）を容易且つ正確に受信して取得することができ、前記計算サーバ３０から簡単に前記ＱＲデータ（数値、計算式、計算結果等）に対応したグラフ画面ＧＲ等の計算参考情報を取得して表示させることができる。
【００３９】
次に、前記情報表示装置としての電子辞書装置１０Ｄや関数電卓１０Ｆと、前記通信機器２０との間で通信接続を行なうための無線通信手段について説明する。
【００４０】
図３は、前記情報表示装置（１０Ｄ／１０Ｆ）と通信機器２０との間で使用する無線通信手段の実施例を示す図である。
【００４１】
前記無線通信手段としては、図３（Ａ）に示すようなBluetooth(登録商標)等の近距離無線通信、図３（Ｂ）に示すようなＮＦＣ等の近距離無線通信、図３（Ｃ）に示すようなＷｉｆｉ（登録商標）等の無線ＬＡＮによる近距離無線通信、その他の近距離無線通信の何れを使用してもよい。
【００４２】
前記図３（Ａ）で示すBluetooth等の近距離無線通信を使用した場合、前記情報表示装置（１０Ｆ）の所定のキー（ボタン）を押下して周辺にある通信機器２０への無線による呼掛けを行なう。すると、前記通信機器２０において、通信可能な前記情報表示装置（１０Ｆ）を含む相手機器が一覧表示され、前記一覧表示された相手機器の中から前記情報表示装置（１０Ｆ）を選択して指定“Ｔａｐ”することで、前記情報表示装置（１０Ｆ）と通信機器２０とのペアリングが実行され互いに通信接続Ｐされる。
【００４３】
また、前記図３（Ｂ）で示すＮＦＣ等の近距離無線通信は、通信機器２０からの磁界に応じた誘導電流により無線通信を行なう無線通信手段である。
【００４４】
例えば、前記情報表示装置（電子辞書装置１０Ｄ）に内蔵したＮＦＣタグには、前記通信機器２０の近距離無線通信部（無線リーダ・ライタ）２８から発生される磁界Ｗｍに応じて誘導電流が流れるコイルアンテナＡＴと、前記コイルアンテナＡＴに流れる誘導電流を起電力として動作するＩＣチップＩＴとが備えられる。前記情報表示装置（電子辞書装置１０Ｄ）のＣＰＵ１３は、前記ＮＦＣタグのＩＣチップＩＴと有線接続され、前記ＩＣチップＩＴのデータを直接読み書きできる有線リーダ・ライタ機能を備える。これにより、前記情報表示装置（電子辞書装置１０Ｄ）のＮＦＣタグと前記通信機器２０の近距離無線通信部（無線リーダ・ライタ）２８との間で無線通信Ｓｉが行われる。
【００４５】
また、前記図３（Ｃ）で示すＷｉｆｉ等の無線ＬＡＮによる近距離無線通信を使用した場合、ＷｉｆｉルータＲｗにより無線ＬＡＮに接続された各通信機器（情報表示装置１０Ｆ／通信機器２０／パーソナルコンピュータＰＣ／ゲーム機ＨＧ等）のうち、例えば予め設定された相手の通信機器とのみペアリングが実行され互いに通信接続Ｐされるか、相手の通信機器と軽くぶつける等の衝撃を検知して相手の通信機器とのペアリングが実行され互いに通信接続Ｐされる。
【００４６】
図４は、前記情報表示装置としての関数電卓１０Ｆの電子回路の構成を示すブロック図である。
【００４７】
なお、前記情報表示装置としての電子辞書装置１０Ｄの電子回路の説明は、本実施形態に関わる部分について、前記関数電卓１０Ｆの電子回路と略同様であるため省略する。
【００４８】
前記関数電卓１０Ｆの電子回路は、前記キー入力部１１および前記表示出力部１２に加えて、コンピュータである前記ＣＰＵ１３と、メモリ１４と、記録媒体読取部１５と、無線通信部１６とを備えている。
【００４９】
前記ＣＰＵ１３は、前記メモリ１４に記憶されている表示制御プログラム１４ａに従い回路各部の動作を制御し、前記キー入力部１１からのキー入力信号に応じた各種の演算処理を実行する。前記表示制御プログラム１４ａは、前記メモリ１４に予め記憶されていても良いし、あるいはメモリカード等の外部記録媒体Ｍから前記記録媒体読取部１５を介して前記メモリ１４に読み込まれて記憶されたものであっても良い。前記表示制御プログラム１４ａは、ユーザがキー入力部１１の操作によって書き換えできないようになっている。
【００５０】
前記メモリ１４には、さらに、ユーザ書き換え不可能な情報として、固有ＩＤ１４ｂも記憶される。前記固有ＩＤ１４ｂは、各関数電卓１０Ｆ…に独特なＩＤである。
【００５１】
前記メモリ１４には、このようなユーザ書き換え不可能な情報の他に、ユーザが書き換え可能なデータを記憶するために、入力データエリア１４ｃ、出力用データエリア１４ｄ、ＱＲデータエリア１４ｅが確保されている。
【００５２】
前記入力データエリア１４ｃには、前記キー入力部１１によりキー入力されたキーコードのデータが順次入力され、これにより構成される計算式や表のデータが記憶される。例えば数値キーは数字を示すコードで、「ｓｉｎ」などの関数キーはその関数を示すコードで、「＋」「−」「×」「÷」などの算術記号キーはその算術記号を示すコードで記憶される。また、前記入力データエリア１４ｃには、Ａ，Ｂ，Ｃ，Ｄ，Ｅ，Ｆ，Ｍ，Ｘ，Ｙの９つの文字に対して個別に登録される異なる数値などの変数も記憶される。例えば、前記キー入力部１１の［３］キー，［ＳＨＩＦＴ］＋［ＲＣＬ］キー（＝［ＳＴＯ］キー），［（−）］キー（＝［Ａ］キー）というキー操作を行うことで変数Ａに数値「３」が登録される。更に、前記キー入力部１１の［ＭＯＤＥ］キーの操作に従って設定された、基本計算モード、統計計算モード（１変数統計／２変数統計）、行列計算モード等の計算種別、各計算に必要なその他のデータ、例えば統計計算の表データも記憶される。表データは、１変数の場合はＸに対応する各数値データ、２変数の場合はＸ，Ｙのそれぞれに対応する各数値データを含む。
【００５３】
前記出力用データエリア１４ｄには、前記キー入力部１１のユーザ操作に応じて入力された数値、計算式の各データ、前記計算式に応じた計算結果のデータのうち、少なくとも１つを含むデータが、前記通信機器２０への出力用データとして、前記［ＱＲ／通信］キー１１Ｑの操作に従い記憶され保存される。
【００５４】
前記ＱＲデータエリア１４ｅには、前記出力用データエリア１４ｄに記憶された出力用データを２次元コードＱに変換したデータ（ＱＲデータ）が記憶され保存される。なお、前記出力用データのデータサイズが、１つの２次元コードＱに入らないサイズである場合は、複数に分割した分割２次元コードＱ１〜ＱＮの分割ＱＲデータ１〜Ｎ（Ｎ：出力データの分割数）に分けて記憶され保存される。
【００５５】
前記無線通信部１６は、前記図３を参照して説明したように、Bluetooth、ＮＦＣ、Ｗｉｆｉ等の前記通信機器２０と無線通信する機能を備えている。
【００５６】
このように構成された前記関数電卓１０Ｆは、前記ＣＰＵ１３が前記表示制御プログラム１４ａに記述された命令に従い回路各部の動作を制御し、ソフトウエアとハードウエアとが協働して動作することにより、後述の動作説明で述べるような、前記キー入力部１１から入力された入力データを含む出力用データを２次元コード化（本実施形態ではＱＲコード化）し、表示出力部１２により表示出力し、また前記２次元コード化した２次元コードＱのデータ（ＱＲデータ）を前記通信機器２０へ無線送信する、表示制御機能を実現する。
【００５７】
前記通信機器２０は、前記関数電卓１０Ｆの表示出力部１２に表示出力された２次元コードＱを撮影するか、又は前記関数電卓１０Ｆの無線通信部１６と近距離無線通信により通信接続して前記関数電卓１０Ｆから送信された前記ＱＲデータを受信することで、前記関数電卓１０Ｆの入力データを取得し、前記通信ネットワークＮを介して前記計算サーバ２０に送信する。
【００５８】
図５は、前記通信機器２０の電子回路の構成を示すブロック図である。
【００５９】
前記通信機器２０の電子回路は、前記表示出力部２１、前記近距離無線通信部２８に加えて、コンピュータであるＣＰＵ２２と、メモリ２３と、記録媒体読取部２４と、前記表示出力部２１に重ねて一体化したタッチ入力部２５と、カメラ部２６と、無線通信部２７とを備えている。なお、前記タッチ入力部２５は電源キー等のキー入力部を含んでも良い。
【００６０】
前記ＣＰＵ２２は、前記メモリ２３に記憶されている通信機器制御プログラム２３ａ、ＱＲコードリーダプログラム２３ｂ、ＥＤＵＣＡＴＩＯＮプログラム２３ｃに従い、前記タッチ入力部２５からのタッチ（又はキー）入力信号、あるいは前記無線通信部２７や前記近距離無線通信部２８による受信信号に応じてワークデータエリア２３ｄを使用し回路各部の動作を制御する。前記各プログラム２３ａ，２３ｂ，２３ｃは、前記メモリ２３に予め記憶されていても良いし、あるいはメモリカード等の外部記録媒体Ｍから前記記録媒体読取部２４を介して前記メモリ２３に読み込まれて記憶されたものであっても良い。
【００６１】
前記ＱＲコードリーダプログラム２３ｂは、前記２次元コードＱ（本実施形態ではＱＲコード）を撮影し、撮影した２次元コードＱのデータ（ＱＲデータ）を取得するための汎用のアプリケーションプログラムである。
【００６２】
前記ＥＤＵＣＡＴＩＯＮプログラム２３ｃは、前記ＱＲコードリーダプログラム２３ｂと連携し、前記関数電卓１０Ｆから取得したＱＲデータを前記計算サーバ３０へ送信し、前記計算サーバ３０にて前記ＱＲデータに応じて生成されたグラフ、表、計算結果等の計算参考情報を受信して表示出力するための専用のアプリケーションプログラムである。
【００６３】
このように構成された前記通信機器２０は、前記ＣＰＵ２２が前記通信機器制御プログラム２３ａ、前記ＱＲコードリーダプログラム２３ｂ、前記ＥＤＵＣＡＴＩＯＮプログラム２３ｃに記述された命令に従い回路各部の動作を制御し、ソフトウエアとハードウエアとが協働して動作することにより、後述の動作説明で述べるような、前記関数電卓１０Ｆでの表示又は近距離無線通信により出力された２次元コード（本実施形態ではＱＲコード）のデータ（ＱＲデータ）を取得し、前記取得したＱＲデータを前記計算サーバ２０に送信する、ＱＲ取得送信機能を実現する。
【００６４】
次に、前記構成の情報表示装置（１０Ｄ／１０Ｆ）の動作について説明する。
【００６５】
図６、図７は、前記情報表示装置（１０Ｄ／１０Ｆ）の表示制御処理（その１、その２）を示すフローチャートである。
【００６６】
図８は、前記情報表示装置（電子辞書装置１０Ｄ）の表示制御処理に従った電子辞書装置１０Ｄの動作状態と通信機器２０の動作状態を示す図である。
【００６７】
前記電子辞書装置１０Ｄ（図１参照）において、前記キー入力部１１のユーザ操作に応じて動作モードがテキスト入力モードに指定されると（ステップＳ１）、図８（Ａ１）に示すように、ユーザ操作に応じて入力されたテキストＴｘが表示出力部１２に表示される（ステップＳ２，Ｓ３）。
【００６８】
前記電子辞書装置１０Ｄにおいて入力したテキストＴｘを前記通信機器２０で利用するために、［ＱＲ／通信］キー１１Ｑが操作されると（ステップＳ４（Ｙｅｓ））、前記入力されたテキストＴｘを含むデータが出力用データとして前記出力用データエリア１４ｄに保存される（ステップＳ５）。
【００６９】
ここで、前記出力用データエリア１４ｄに保存された出力用データのサイズについて、１つの２次元コード（ＱＲコード）Ｑに入らないサイズであるか否かが判断される（ステップＳ６）。
【００７０】
前記出力用データエリア１４ｄに保存された出力用データのサイズについて、１つの２次元コードＱに入るサイズであると判断された場合は（ステップＳ６（Ｎｏ））、前記出力用データ（テキストＴｘ）が１つの２次元コード（ＱＲコード）Ｑに変換され、前記変換された２次元コードＱのデータ（ＱＲデータ）がＱＲデータ１として前記ＱＲデータエリア１４ｅに保存される（ステップＳ７）。
【００７１】
すると、図８（Ａ２）に示すように、前記ＱＲデータエリア１４ｅに保存されたＱＲデータに対応した２次元コード（ＱＲコード）Ｑが作成され、前記表示出力部１２に表示される。この際、１つの２次元コード（ＱＲコード）Ｑであることを示す数字（１／１）が付加されて表示される（ステップＳ８）。
【００７２】
前記入力されたテキストＴｘのデータを含む２次元コード（ＱＲコード）Ｑが前記表示出力部１２に表示されると、前記表示されている２次元コードＱのデータ（ＱＲデータ）が前記ＱＲデータエリア１４ｅから読み出され、前記無線通信部１６の通信データ（データバッファ）にセットされる（ステップＳ１５）。
【００７３】
例えば、前記無線通信部１６がＮＦＣ等の近距離無線通信を使用している場合、前記ＱＲデータは、前記ＣＰＵ１３によりＮＦＣタグのＩＣチップＩＴに書き込まれ、前記無線リーダ・ライタの機能を有する前記通信機器２０から読み取り可能な状態にセットされる（図３（Ｂ）参照）。
【００７４】
ここで、前記通信機器２０において、図８（Ｂ１）に示すように、通信アプリアイコンＣｉがタッチ操作され、前記通信機器制御プログラム２３ａが起動されると、前記通信機器２０と前記情報表示装置（１０Ｄ）との通信イメージを表した通信画面ＧＣが表示出力部２１に表示される。
【００７５】
そして、前記通信機器２０を、図８（Ｂ２）に示すように、前記電子辞書装置１０Ｄに近付けると、前記電子辞書装置１０Ｄと通信接続され、前記電子辞書装置１０Ｄの通信データ（データバッファ）にセットされたＱＲデータが前記通信装置２０に送信されて読み出される（ステップＳ１６（Ｙｅｓ））。
【００７６】
前記通信機器２０において、前記電子辞書装置１０Ｄから送信された前記ＱＲデータの受信が完了すると、前記通信機器２０から受信完了の旨の情報が送信される。そして、電子辞書装置（情報表示装置）で、受信完了の旨の情報の受信に応じて受信完了メッセージｍが表示出力部２１に表示され、また、受信完了音声（ピンポン）も出力される。
【００７７】
前記電子辞書装置１０Ｄにおいて、前記ＱＲデータが前記通信装置２０に送信されて読み出されると（ステップＳ１６（Ｙｅｓ））、前記表示出力部１２に表示されている２次元コード（ＱＲコード）Ｑが分割次元コードＱ（１／Ｎ）か否かが判断される（ステップＳ１７）。
【００７８】
前記表示出力部１２に表示されている２次元コード（ＱＲコード）Ｑが分割２次元コードＱ（１／Ｎ）ではなく１つの２次元コードＱ（１／１）として表示されたものであると判断された場合は（ステップＳ１７（Ｎｏ））、通信完了メッセージ（ＱＲデータ送信完了）（図示せず）が前記表示出力部１２に表示される（ステップＳ１８）。
【００７９】
そして、前記表示出力部１２に表示されていた２次元コード（ＱＲコード）Ｑが消去され、前記図８（Ａ１）で示したように、前記入力されたテキストＴｘだけを表示した表示状態に戻る（ステップＳ３）。
【００８０】
一方、前記図８（Ａ２）で示したように、前記電子辞書装置１０Ｄの表示出力部２１に、前記出力用データに対応した２次元コード（ＱＲコード）Ｑが表示されている状態で（ステップＳ１５）、図８（Ｂ３）に示すように、前記通信機器２０により、前記ＱＲコードリーダプログラム２３ｂを起動させ、前記表示されている２次元コードＱを撮影すると、前記２次元コード（ＱＲコード）Ｑのデータ（ＱＲデータ）が前記通信機器２０に取り込まれる。
【００８１】
この後、前記電子辞書装置１０Ｄにおいて、前記［ＱＲ／通信］キー１１Ｑが再操作されるか、又は［ＡＣ］キーが操作されると（ステップＳ２３（Ｙｅｓ））、前記表示出力部１２に表示されていた２次元コード（ＱＲコード）Ｑが消去され、前記図８（Ａ１）で示したように、前記入力されたテキストＴｘだけを表示した表示状態に戻る（ステップＳ３）。
【００８２】
これにより、前記通信機器２０により前記電子辞書装置１０Ｄに表示された２次元コードＱを撮影しなくても、前記通信機器２０を前記電子辞書装置１０Ｄに近付けて近距離無線通信により通信接続させるだけで、前記テキストＴｘを含む出力用データを２次元コード化したデータ（ＱＲデータ）を容易且つ正確に受信して取得することができる。
【００８３】
そして、ユーザは、前記電子辞書装置１０Ｄから前記テキストＴｘを含むデータ（ＱＲデータ）が前記通信機器２０へ正しく送信されたことを、前記表示出力部１２に表示される通信完了メッセージや前記表示出力部１２に表示されていた２次元コード（ＱＲコード）Ｑの消去を確認することで容易に知ることができる。
【００８４】
（統計計算処理）
図９は、前記情報表示装置（関数電卓１０Ｆ）の表示制御処理に従った関数電卓１０Ｆの１変数統計計算モードでの動作状態と通信機器２０の動作状態を示す図である。
【００８５】
前記関数電卓１０Ｆ（図２（Ａ）参照）において、前記キー入力部１１のユーザ操作に応じて計算モードが１変数統計計算モードに指定されると（ステップＳ１）、図９（Ａ１）に示すように、１変数統計データとして変数Ｘの数値を入力するための１変数統計入力画面Ｇｂが表示出力部１２に表示され、ユーザ操作に応じて入力された変数Ｘの数値が順次表示される（ステップＳ２，Ｓ３）。
【００８６】
前記関数電卓１０Ｆにて入力した１変数統計データについての計算参考情報を前記計算サーバ３０から得るために、前記［ＱＲ／通信］キー１１Ｑが操作されると（ステップＳ４（Ｙｅｓ））、前記入力された１変数統計データが、前記関数電卓１０Ｆの固有ＩＤ、計算種別（１変数統計計算）、各種設定データ、前記計算サーバ３０の通信アドレスを含めて、出力用データとして前記出力用データエリア１４ｄに保存される（ステップＳ５）。
【００８７】
すると、前記図８を参照して説明した前記電子辞書装置１０Ｄの場合と同様に、前記出力用データエリア１４ｄに保存された出力用データのサイズについて、１つの２次元コードＱに入るサイズであると判断された後（ステップＳ６（Ｎｏ））、前記出力用データ（１変数統計データ、固有ＩＤ、計算種別、各種設定データ、計算サーバ３０の通信アドレス含む）が１つの２次元コード（ＱＲコード）Ｑに変換され、図９（Ａ２）に示すように、前記表示出力部１２に表示される（ステップＳ７，Ｓ８）。
【００８８】
この際、前記電子辞書装置１０Ｄの場合と同様に、前記表示されている２次元コードＱのデータ（ＱＲデータ（１変数統計データ、固有ＩＤ、計算種別、各種設定データ、計算サーバ３０の通信アドレス含む））が前記ＱＲデータエリア１４ｅから読み出され、前記無線通信部１６の通信データ（データバッファ）にセットされる（ステップＳ１５）。
【００８９】
ここで、前記通信機器２０において、図９（Ｂ１）に示すように、ＥＤＵＣＡＴＩＯＮアイコンＣｅがタッチ操作され、前記ＥＤＵＣＡＴＩＯＮプログラム２３ｃが起動されると、前記同様の通信画面ＧＣが表示出力部２１に表示される。
【００９０】
そして、前記通信機器２０を、図９（Ｂ２）に示すように、前記関数電卓１０Ｆに近付けると、前記関数電卓１０Ｆと通信接続され、前記関数電卓１０Ｆの通信データ（データバッファ）にセットされたＱＲデータが前記通信装置２０に送信されて読み出される（ステップＳ１６（Ｙｅｓ））。
【００９１】
前記通信機器２０において、前記関数電卓１０Ｆから送信されたＱＲデータの受信が完了すると、前記同様に、前記通信機器２０から受信完了の旨の情報が送信される。そして、前記関数電卓１０Ｆ（情報表示装置）で、前記受信完了の旨の情報の受信に応じて受信完了メッセージｍが前記表示出力部２１に表示され、また、受信完了音声（ピンポン）も出力される。
【００９２】
前記関数電卓１０Ｆにおいて、前記ＱＲデータが前記通信装置２０に送信されて読み出されると（ステップＳ１６（Ｙｅｓ））、表示出力部１２に表示されている２次元コード（ＱＲコード）Ｑが分割２次元コードＱ（１／Ｎ）ではなく１つの２次元コードＱ（１／１）として表示されたものであると判断された場合は（ステップＳ１７（Ｎｏ））、前記同様に、通信完了メッセージ（ＱＲデータ送信完了）（図示せず）が表示出力部１２に表示される（ステップＳ１８）。
【００９３】
そして、前記表示出力部１２に表示されていた２次元コード（ＱＲコード）Ｑが消去され、図９（Ａ３）に示すように、前記１変数統計データを入力した１変数統計入力画面Ｇｂの表示状態に戻る（ステップＳ３）。
【００９４】
一方、前記図９（Ａ２）で示したように、前記関数電卓１０Ｆの表示出力部１２に、前記入力された１変数統計データを含む２次元コード（ＱＲコード）Ｑが表示されている状態で（ステップＳ１５）、図９（Ｂ３）に示すように、前記通信機器２０により、前記表示されている２次元コードＱを撮影すると、前記２次元コード（ＱＲコード）Ｑのデータ（ＱＲデータ）が前記通信機器２０に取り込まれる。
【００９５】
この後、前記関数電卓１０Ｆにおいて、前記［ＱＲ／通信］キー１１Ｑが再操作されるか、又は［ＡＣ］キーが操作されると、前記表示出力部１２に表示されていた２次元コード（ＱＲコード）Ｑが消去され、前記図９（Ａ３）で示したように、前記１変数統計データを入力した１変数統計入力画面Ｇｂの表示状態に戻る（ステップＳ３）。
【００９６】
なお、図９（Ａ４）に示すように、前記関数電卓１０Ｆの表示出力部１２に、前記入力された１変数統計データを含む２次元コード（ＱＲコード）Ｑが表示され、前記２次元コードＱのデータ（ＱＲデータ）が前記無線通信部１６の通信データ（データバッファ）にセットされた状態では（ステップＳ１５）、前記通信機器２０に対して前記２次元コードＱのデータ（ＱＲデータ）を送信可能な状態であることを示す近距離通信マーク［ＮＦＣ］ＮＭを表示させてもよい。
【００９７】
前記通信機器２０において、前記関数電卓１０Ｆから２次元コード化されたデータ（ＱＲデータ（１変数統計データ、固有ＩＤ、計算種別、各種設定データ、計算サーバ３０の通信アドレス含む））が取り込まれると、前記ＥＤＵＣＡＴＩＯＮプログラム２３ｃに従い、前記ＱＲデータが前記通信ネットワークＮ上の計算サーバ３０に送信される。
【００９８】
前記計算サーバ３０は、前記通信機器２０から受信されたＱＲデータの１変数統計データ、計算種別（統計計算）、各種設定データについて、デフォルト指定されたグラフ種類（箱ひげ図）に従って、図９（Ｂ４）に示すように、箱ひげ図ＨｉのＧｒａｐｈ画面Ｇｇを作成する。
【００９９】
前記箱ひげ図Ｈｉは、具体的には、前記１変数統計データ（ｘ＝１，１２，３４，…，２９，１２，１）の計算を実行した計算結果（ｍｉｎ（ｘ）［最小値］＝１、Ｑ１［第１四分位数］＝６．５、Ｍｅｄ［中央値］＝２０．５、Ｑ３［第３四分位数］＝３３、Ｍａｘ（ｘ）［最大値］＝４３）に対応して描画され作成される。
【０１００】
また、前記計算サーバ３０は、前記１変数統計データ（ｘ＝１，１２，３４，…，２９，１２，１）のテーブルＴａのＴａｂｌｅ画面Ｇｔを作成する。
【０１０１】
前記計算サーバ３０により作成されたＧｒａｐｈ画面ＧｇとＴａｂｌｅ画面Ｇｔは、前記ＱＲデータの送信元である通信機器２０に送信される。
【０１０２】
これにより、前記通信機器２０の表示出力部２１には、図９（Ｂ４）で示したように、前記関数電卓１０Ｆにより入力された１変数統計データに応じたＧｒａｐｈ画面ＧｇとＴａｂｌｅ画面Ｇｔが統計計算の参考情報として表示され、１変数統計についての学習を行なうことができる。
【０１０３】
（行列計算処理）
図１０は、前記情報表示装置（関数電卓１０Ｆ）の表示制御処理に従った関数電卓１０Ｆの行列計算モードでの動作状態と通信機器２０の動作状態を示す図である。
【０１０４】
前記関数電卓１０Ｆ（図２（Ａ）参照）において、前記キー入力部１１のユーザ操作に応じて計算モードが行列計算モードに指定されると、図１０（Ａ１）に示すように、所望の行列名［ＭａｔＡ］、行列サイズ（ここでは［２×２］）に対応した行列データ入力画面Ｇｍが表示される（ステップＳ１）。
【０１０５】
前記行列データ入力画面Ｇｍにおいて、前記行列名［ＭａｔＡ］の行列データ［１，２，３，４］が入力されて表示された後（ステップＳ２，Ｓ３）、図１０（Ａ２）に示すように、行列計算式（ここでは［ｄｅｔ（ＭａｔＡ）］）が入力され、前記［＝］キーの操作により計算実行が指示されると（ステップＳ１１（Ｙｅｓ））、前記行列計算式［ｄｅｔ（ＭａｔＡ）］（ＭａｔＡ＝１，２，３，４）に応じた計算が実行され、前記計算式と計算結果［−２］が表示出力部１２に表示される（ステップＳ１２）。
【０１０６】
そして、前記計算式［ｄｅｔ（ＭａｔＡ）］と計算結果［−２］の計算参考情報を前記計算サーバ３０から得るために、前記［ＱＲ／通信］キー１１Ｑが操作されると（ステップＳ１３）、前記入力された行列計算式［ｄｅｔ（ＭａｔＡ）］、行列データ（ＭａｔＡ＝１，２，３，４））、計算結果データ［−２］が、前記関数電卓１０Ｆの固有ＩＤ、計算種別（行列計算）、各種設定データ、前記計算サーバ３０の通信アドレスを含めて、出力用データとして前記出力用データエリア１４ｄに保存される（ステップＳ１４）。
【０１０７】
ここで、前記出力用データエリア１４ｄに保存された出力用データのサイズについて、１つの２次元コードＱに入らないサイズであると判断された場合は（ステップＳ６（Ｙｅｓ））、前記出力用データが複数（ここでは２つ）の分割２次元コード（分割ＱＲコード）Ｑ１，Ｑ２に変換され、前記変換された分割２次元コードＱ１，Ｑ２のデータ（ＱＲデータ）が分割ＱＲデータ１，２として前記ＱＲデータエリア１４ｅに保存される（ステップＳ９）。
【０１０８】
すると、図１０（Ａ３）に示すように、前記ＱＲデータエリア１４ｅに保存された１つ目の分割ＱＲデータ１に対応した分割２次元コード（分割ＱＲコード）Ｑ１が作成され、前記表示出力部１２に表示される。この際、１つ目の分割２次元コード（分割ＱＲコード）Ｑ１であることを示す数字（１／２）が付加されて表示される（ステップＳ１０）。
【０１０９】
そして、前記表示されている分割２次元コードＱ１のデータ（分割ＱＲデータ１）が前記ＱＲデータエリア１４ｅから読み出され、前記無線通信部１６の通信データ（データバッファ）にセットされる（ステップＳ１５）。
【０１１０】
この際、前記関数電卓１０Ｆの表示出力部１２には、前記通信機器２０に対して前記分割２次元コードＱ１のデータ（分割ＱＲデータ１）を送信可能な状態であることを示す通信可能メッセージ［無線通信可］ｍｃを表示させてもよい。
【０１１１】
ここで、前記通信機器２０において、図１０（Ｂ１）に示すように、前記ＥＤＵＣＡＴＩＯＮプログラム２３ｃが起動されると、前記同様の通信画面ＧＣが前記表示出力部２１に表示される。
【０１１２】
そして、前記通信機器２０を、図１０（Ｂ２）に示すように、前記関数電卓１０Ｆに近付けると、前記関数電卓１０Ｆと通信接続され、前記関数電卓１０Ｆの通信データ（データバッファ）にセットされた分割ＱＲデータ１が前記通信装置２０に送信されて読み出される（ステップＳ１６（Ｙｅｓ））。
【０１１３】
前記関数電卓１０Ｆにおいて、前記分割ＱＲデータ１が前記通信装置２０に送信されて読み出されると（ステップＳ１６（Ｙｅｓ））、前記表示出力部１２に分割２次元コード（分割ＱＲコード）Ｑ１が表示されていると判断され（ステップＳ１７（Ｙｅｓ））、２つ目の分割２次元コードＱ２のデータ（分割ＱＲデータ２）が前記ＱＲデータエリア１４ｅから読み出され、前記無線通信部１６の通信データ（データバッファ）にセットされる（ステップＳ１９）。
【０１１４】
すると、前記関数電卓１０Ｆの通信データ（データバッファ）にセットされた分割ＱＲデータ２が、前記分割ＱＲデータ１に続いて、前記通信装置２０に送信されて読み出される（ステップＳ２０（Ｙｅｓ））。
【０１１５】
ここで、前記ＱＲデータエリア１４ｅに次の分割ＱＲデータ（ここでは分割ＱＲデータ３）があると判断された場合は（ステップＳ２１（Ｙｅｓ））、前記同様に、前記分割ＱＲデータ３が前記ＱＲデータエリア１４ｅから読み出されて前記無線通信部１６の通信データ（データバッファ）にセットされる（ステップＳ１９）。
【０１１６】
そして、前記ＱＲデータエリア１４ｅに保存されていた各分割ＱＲデータ１〜Ｎが全て送信されて無くなったと判断されると（ステップＳ２０，Ｓ２１（Ｎｏ））、前記同様に、前記通信機器２０から受信完了の旨の情報が送信される。そして、前記関数電卓１０Ｆ（情報表示装置）で、前記受信完了の旨の情報の受信に応じて通信完了メッセージ（ＱＲデータ送信完了）（図示せず）が表示出力部１２に表示される（ステップＳ１８）。
【０１１７】
すると、前記表示出力部１２に表示されていた分割２次元コード（分割ＱＲコード）Ｑ１が消去され、図１０（Ａ５）に示すように、前記行列計算式［ｄｅｔ（ＭａｔＡ）］と計算結果［−２］の表示状態に戻る（ステップＳ１２）。
【０１１８】
前記通信機器２０において、前記関数電卓１０Ｆから送信された分割ＱＲデータ１〜Ｎの全ての受信が完了すると、前記同様に、受信完了メッセージｍが表示出力部２１に表示され、また、受信完了音声（ピンポン）も出力される。
【０１１９】
一方、前記図１０（Ａ３）で示したように、前記関数電卓１０Ｆの表示出力部１２に、前記ＱＲデータエリア１４ｅに保存された１つ目の分割ＱＲデータ１に対応した分割２次元コード（分割ＱＲコード）Ｑ１が表示されている状態で（ステップＳ１５）、図１０（Ｂ３）に示すように、前記通信機器２０により、前記表示されている分割２次元コードＱ１を撮影すると、前記分割２次元コード（分割ＱＲコード）Ｑ１のデータ（分割ＱＲデータ１）が前記通信機器２０に取り込まれる。
【０１２０】
そして、前記分割２次元コード（分割ＱＲコード）Ｑ１の表示状態で（ステップＳ２２（Ｙｅｓ））、次（ここでは２つ目）の分割２次元コード（分割ＱＲコード）Ｑ２を表示させるために、前記カーソルキー［↓］１１４が操作されると（ステップＳ２４（Ｙｅｓ））、図１０（Ａ４）に示すように、前記ＱＲデータエリア１４ｅに保存された２つ目の分割ＱＲデータ２に対応した分割２次元コード（分割ＱＲコード）Ｑ２が作成され、前記表示出力部１２に表示される。この際、前記同様に、２つ目の分割２次元コード（分割ＱＲコード）Ｑ２であることを示す数字（２／２）が付加されて表示される（ステップＳ２５）。
【０１２１】
ここで、前記通信機器２０により、前記関数電卓１０Ｆに表示された２つ目の分割２次元コードＱ２を撮影し、前記分割２次元コード（分割ＱＲコード）Ｑ２のデータ（分割ＱＲデータ２）を前記通信機器２０に取り込んだ（全分割ＱＲデータ１〜Ｎを取り込んだ）後、前記関数電卓１０Ｆにおいて、前記［ＱＲ／通信］キー１１Ｑが再操作されるか、又は［ＡＣ］キーが操作されると（ステップＳ２３（Ｙｅｓ））、前記表示出力部１２に表示されていた分割２次元コード（ＱＲコード）Ｑ２が消去され、前記図１０（Ａ５）で示したように、前記行列計算式［ｄｅｔ（ＭａｔＡ）］と計算結果［−２］の表示状態に戻る（ステップＳ１２）。
【０１２２】
なお、本行列計算処理の場合も、図１０（Ａ６）に示すように、前記関数電卓１０Ｆの表示出力部１２に、分割２次元コード（ＱＲコード）Ｑ１を表示させ、前記分割２次元コードＱ１のデータ（分割ＱＲデータ１）を前記無線通信部１６の通信データ（データバッファ）にセットした状態では（ステップＳ１５）、前記通信機器２０に対して前記分割２次元コードＱ１〜ＱＮのデータ（分割ＱＲデータ１〜Ｎ）を順次送信可能な状態であることを示す近距離通信マーク［ＮＦＣ］ＮＭを表示させてもよい。
【０１２３】
前記通信機器２０において、前記関数電卓１０Ｆから２次元コード化されたデータ（ＱＲデータ（行列計算式［ｄｅｔ（ＭａｔＡ）］、行列データ（ＭａｔＡ＝１，２，３，４）、計算結果データ［−２］、固有ＩＤ、計算種別（行列計算）、各種設定データ、計算サーバ３０の通信アドレス含む）が取り込まれると、前記ＥＤＵＣＡＴＩＯＮプログラム２３ｃに従い、前記ＱＲデータが前記通信ネットワークＮ上の計算サーバ３０に送信される。
【０１２４】
前記計算サーバ３０は、前記通信機器２０から受信されたＱＲデータに含まれる行列計算式［ｄｅｔ（ＭａｔＡ）］、行列データ（ＭａｔＡ＝１，２，３，４）、計算結果データ［−２］、計算種別（行列計算）、各種設定データに応じて、図１０（Ｂ４）に示すように、前記行列計算式［ｄｅｔ（ＭａｔＡ）］の行列部分（ＭａｔＡ）を前記行列データ［１，２，３，４］に置き換えた計算式ｄｅｔ（［１，２，３，４］）のＩｎｐｕｔ画面Ｇｉを作成する。
【０１２５】
また、前記計算サーバ３０は、前記計算結果データ［−２］のＯｕｔｐｕｔ画面Ｇｏを作成する。
【０１２６】
前記計算サーバ３０により作成されたＩｎｐｕｔ画面ＧｉとＯｕｔｐｕｔ画面Ｇｏは行列計算参考情報として前記ＱＲデータの送信元である通信機器２０に送信される。
【０１２７】
これにより、前記通信機器２０の表示出力部２１には、図１０（Ｂ４）で示したように、前記関数電卓１０Ｆにより計算実行された行列計算に応じたＩｎｐｕｔ画面ＧｉとＯｕｔｐｕｔ画面Ｇｏが行列計算の参考情報として表示され、前記行列計算の内容を学習できる。
【０１２８】
したがって、前記構成の情報表示装置（１０Ｄ／１０Ｆ）によれば、キー入力部１１のユーザ操作に応じて入力された入力データを含む出力用データを、［ＱＲ／通信］キー１１Ｑの操作に応じて２次元コード（ＱＲコード）Ｑに変換し表示出力部１２に表示させる。また、前記２次元コード（ＱＲコード）Ｑのデータ（ＱＲデータ）を無線通信部１６の通信データにセットし外部の通信機器２０との近距離無線通信による通信接続により送信可能な状態にする。そして、前記表示出力部１２に表示された２次元コードＱを前記通信機器２０により撮影して取得した後に、前記［ＱＲ／通信］キー１１Ｑ（又は［ＡＣ］キー）を操作した場合、又は近接した前記通信機器２０に前記無線通信部１６から前記ＱＲデータが送信されて取得された場合は、前記２次元コードＱの表示を消去する。
【０１２９】
これにより、前記通信機器２０により前記情報表示装置（１０Ｄ／１０Ｆ）に表示された２次元コードＱを撮影しなくても、前記通信機器２０を前記情報表示装置（１０Ｄ／１０Ｆ）に近付けて近距離無線通信により通信接続させるだけで、前記ユーザ入力されたデータを含む２次元コード化したデータ（ＱＲデータ）を容易且つ正確に受信して取得することができる。
【０１３０】
そして、ユーザは、前記情報表示装置（１０Ｄ／１０Ｆ）から前記ＱＲデータが前記通信機器２０へ正しく送信されたことを、表示出力部１２に表示されていた２次元コード（ＱＲコード）Ｑの消去を確認することで容易に知ることができる。
【０１３１】
また、前記構成の情報表示装置（１０Ｄ／１０Ｆ）によれば、前記通信機器２０に無線通信部１６からＱＲデータが送信されて取得された場合は、通信完了メッセージ（ＱＲデータ送信完了）を表示出力部１２に表示させるので、前記ＱＲデータが前記通信機器２０へ正しく送信されたことを、ユーザがより明確に確認できる。
【０１３２】
また、前記構成の情報表示装置（１０Ｄ／１０Ｆ）によれば、ユーザ操作に応じて入力された入力データを含む出力用データが１つの２次元コードに入らず複数に分割した分割２次元コード（分割ＱＲコード）Ｑ１〜ＱＮに変換した場合は、近接した通信機器２０に前記無線通信部１６から前記複数の分割２次元コード（分割ＱＲコード）Ｑ１〜ＱＮのデータ（分割ＱＲデータ１〜Ｎ）を順番に送信して取得させる毎に、連続して次の分割ＱＲデータｎを前記無線通信部１６の通信データにセットする。そして、前記通信機器２０に前記無線通信部１６から前記複数の分割ＱＲデータ１〜Ｎを全て送信して取得させた場合に、前記２次元コードＱ１の表示を消去する。
【０１３３】
これにより、前記ユーザ操作に応じて入力された入力データを含む出力用データが複数に分割した分割２次元コード（分割ＱＲコード）Ｑ１〜ＱＮに変換された場合でも、前記通信機器２０を前記情報表示装置（１０Ｄ／１０Ｆ）に近付けて近距離無線通信により通信接続させるだけで、ユーザが繰り返しの作業を行なう必要なく、前記分割２次元コードＱ１〜ＱＮのデータ（分割ＱＲデータ１〜Ｎ）を連続受信して取得することができる。
【０１３４】
なお、前記複数の分割２次元コード（分割ＱＲコード）Ｑ１〜ＱＮのデータ（分割ＱＲデータ１〜Ｎ）を、前記無線通信部１６の通信データに纏めてセットすることで、ユーザが繰り返しの作業を行なう必要なく、前記通信機器２０に一括して送信する構成としてもよい。
【０１３５】
前記各実施形態において記載した情報表示装置（１０Ｄ／１０Ｆ）による各処理の手法、すなわち、図６，図７のフローチャートに示す表示制御処理などの各手法は、何れもコンピュータに実行させることができるプログラムとして、メモリカード（ＲＯＭカード、ＲＡＭカード等）、磁気ディスク（フロッピー（登録商標）ディスク、ハードディスク等）、光ディスク（ＣＤ−ＲＯＭ、ＤＶＤ等）、半導体メモリ等の記録媒体に格納して配布することができる。また、前記各手法を実現するためのプログラムのデータは、プログラムコードの形態として通信ネットワークＮ上を伝送させることができ、このプログラムデータを、通信ネットワークＮに接続された電子機器のコンピュータに通信部によって取り込むことで、前述した表示制御機能を実現することもできる。
【０１３６】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１３７】
以下に、本願出願の当初の特許請求の範囲に記載された発明を付記する。
【０１３８】
［１］
通信機器と無線通信する無線通信手段と、
ユーザ操作に応じてデータを入力するデータ入力手段と、
前記データ入力手段により入力されたデータに対応する出力用データを表示させるデータ表示手段と、
前記データ表示手段により前記出力用データが表示された状態で、前記無線通信手段により前記データ入力手段により入力されたデータに対応する出力用データを前記通信機器に送信するデータ送信手段と、
前記データ送信手段により前記出力用データが前記通信機器に送信された後に、前記データ表示手段により表示された出力用データを消去する送信後表示消去手段と、
を備えたことを特徴とする情報表示装置。
【０１３９】
［２］
前記データ表示手段により表示された出力用データが他の機器で撮影された後に、ユーザ操作に応じて、前記表示された出力用データを消去する表示消去手段を、さらに備えたことを特徴とする［１］に記載の情報表示装置。
【０１４０】
［３］
前記データ表示手段は、前記データ入力手段により入力されたデータに対応する出力用データを２次元コードに変換して表示させ、
前記表示消去手段は、前記データ表示手段により表示された２次元コードが他の機器で撮影された後に、ユーザ操作に応じて、前記表示された２次元コードを消去し、
前記データ送信手段は、前記データ表示手段により前記２次元コードが表示された状態で、前記無線通信手段により前記２次元コードの内容のデータを前記通信機器に送信し、
前記送信後表示消去手段は、前記データ送信手段により前記２次元コードの内容のデータが前記通信機器に送信された後に、前記データ表示手段により表示された２次元コードを消去する、
ことを特徴とする［２］に記載の情報表示装置。
【０１４１】
［４］
前記データ表示手段は、前記データ入力手段により入力されたデータ含む出力用データを複数の分割２次元コードに変換して順次表示させ、
前記表示消去手段は、前記データ表示手段により順次表示された複数の分割２次元コードが他の機器で撮影される毎に、ユーザ操作に応じて、前記表示された分割２次元コードを消去し、
前記データ送信手段は、前記データ表示手段により前記複数の分割２次元コードのうち１つの分割２次元コードが表示された状態で、前記無線通信手段により前記複数の分割２次元コードの内容のデータを順次前記通信機器に送信し、
前記送信後表示消去手段は、前記データ送信手段により前記複数の分割２次元コードの内容のデータが順次前記通信機器に送信された後に、前記データ表示手段により表示された分割２次元コードを消去する、
ことを特徴とする［３］に記載の情報表示装置。
【０１４２】
［５］
前記データ表示手段は、前記データ入力手段により入力されたデータ含む出力用データを複数の分割２次元コードに変換して順次表示させ、
前記表示消去手段は、前記データ表示手段により順次表示された複数の分割２次元コードが他の機器で撮影される毎に、ユーザ操作に応じて、前記表示された分割２次元コードを消去し、
前記データ送信手段は、前記データ表示手段により前記複数の分割２次元コードのうち１つの分割２次元コードが表示された状態で、前記無線通信手段により前記複数の分割２次元コードの内容のデータを纏めて前記通信機器に送信し、
前記送信後表示消去手段は、前記データ送信手段により前記複数の分割２次元コードの内容のデータが纏めて前記通信機器に送信された後に、前記データ表示手段により表示された分割２次元コードを消去する、
ことを特徴とする［３］に記載の情報表示装置。
【０１４３】
［６］
前記データ送信手段により前記出力用データの前記通信機器への送信が完了したことに応じて通信完了情報を表示させる完了情報表示手段を備えた、
ことを特徴とする［１］乃至［５］の何れかに記載の情報表示装置。
【０１４４】
［７］
前記無線通信手段は、近距離無線通信手段である、ことを特徴とする［１］乃至［６］の何れかに記載の情報表示装置。
【０１４５】
［８］
前記送信後表示消去手段は前記データ送信手段により前記出力用データが前記通信機器に送信された後に、前記通信機器から前記出力用データの受信完了の旨の情報が受信された場合に、前記データ表示手段により表示された出力用データを消去する、ことを特徴とする［１］乃至［７］の何れかに記載の情報表示装置。
【０１４６】
［９］
通信機器と無線通信する無線通信手段と、表示部とを有する情報表示装置を制御するための情報表示方法であって、
ユーザ操作に応じてデータを入力し、
前記入力されたデータに対応する出力用データを前記表示部に表示させ、
前記出力用データが表示された状態で、前記無線通信手段により前記入力されたデータに対応する出力用データを前記通信機器に送信し、
前記出力用データが前記通信機器に送信された後に、前記表示された出力用データを消去する、
ことを特徴とする情報表示方法。
【０１４７】
［１０］
通信機器と無線通信する無線通信手段と、表示部とを有する電子機器のコンピュータを制御するためのプログラムであって、
前記コンピュータを、
ユーザ操作に応じてデータを入力するデータ入力手段と、
前記データ入力手段により入力されたデータに対応する出力用データを前記表示部に表示させるデータ表示手段と、
前記データ表示手段により前記出力用データが表示された状態で、前記無線通信手段により前記データ入力手段により入力されたデータに対応する出力用データを前記通信機器に送信するデータ送信手段と、
前記データ送信手段により前記出力用データが前記通信機器に送信された後に、前記データ表示手段により表示された出力用データを消去する送信後表示消去手段、
として機能させるためのコンピュータ読み込み可能なプログラム。
【符号の説明】
【０１４８】
１０Ｄ…情報表示装置（電子辞書装置）
１０Ｆ…情報表示装置（関数電卓）
１１  …キー入力部
１１１…数値・演算記号キー群
１１２…関数機能キー群
１１３…モード設定キー群
１１４…カーソルキー
１２  …表示出力部
１３  …ＣＰＵ
１４  …メモリ
１４ａ…表示制御プログラム
１４ｂ…固有ＩＤ
１４ｃ…入力データエリア
１４ｄ…出力用データエリア
１４ｅ…ＱＲデータエリア
１５  …記録媒体読取部
１６  …無線通信部
２０  …通信機器（カメラ付きタブレット端末等）
２１  …表示出力部
２２  …ＣＰＵ
２３  …メモリ
２３ａ…通信機器制御プログラム
２３ｂ…ＱＲコードリーダプログラム
２３ｃ…ＥＤＵＣＡＴＩＯＮプログラム
２３ｄ…ワークデータエリア
２６  …カメラ部
２７  …無線通信部
２８  …近距離無線通信部
３０  …計算サーバ
Ｎ    …通信ネットワーク
Ｑ    …２次元コード（ＱＲコード（登録商標））
【図１】
0006677039.tif 000002
【図２】
0006677039.tif 000003
【図３】
0006677039.tif 000004
【図４】
0006677039.tif 000005
【図５】
0006677039.tif 000006
【図６】
0006677039.tif 000007
【図７】
0006677039.tif 000008
【図８】
0006677039.tif 000009
【図９】
0006677039.tif 000010
【図１０】
0006677039.tif 000011